(57)【要約】【課題】データ管理の簡素化を図るとともに、磁気ディスクにおけるデータ効率を向上する。【解決手段】磁気ディスク１０において半径方向に分割された複数のゾーンＺ1〜Ｚ5それぞれに、データ領域（記録ドット領域６６又はサーボ部６０）と、ビットパターンに対する磁気ヘッドを用いたデータ記録タイミングを合わせるための基準パターンを含むリシンク部９０ａ又は９０ｂと、を含む複数のセグメントを設け、各ゾーンＺ1〜Ｚ5のセグメント数が、それぞれ整数かつ共通の約数Ｍを有するように設定する。【選択図】図６
2010205341.tif 000002
【特許請求の範囲】
【請求項１】
磁気ディスク基板と、
前記磁気ディスク基板の、半径方向に分割された複数のゾーンそれぞれに設けられ、情報記録単位が非磁性体によって分離された磁性体を有するデータ領域と、前記磁性体に対するヘッドを用いたデータ記録タイミングを合わせるための基準パターンを含むリシンク領域と、を含む複数のデータセグメントと、を備え、
前記各ゾーンのデータセグメント数は、それぞれ整数かつ共通の約数Ｍを有することを特徴とする磁気ディスク媒体。
【請求項２】
前記各ゾーンのデータセグメントの一側の端部が前記磁気ディスク基板の半径方向に揃う箇所が、少なくともＭ箇所存在し、
前記磁気ディスク基板の半径方向に端部が揃うデータセグメントが有するデータ領域に、前記ヘッドを位置決めするためのサーボ情報が等角速度記録されていることを特徴とする請求項１に記載の磁気ディスク媒体。
【請求項３】
前記サーボ情報が記録されたデータセグメントの少なくとも一部には、媒体情報を含む管理情報を記録するための管理情報記録領域が設けられていることを特徴とする請求項２に記載の磁気ディスク媒体。
【請求項４】
前記サーボ情報が記録されたデータセグメントのリシンク領域と、それ以外のデータセグメントのリシンク領域とは、異なることを特徴とする請求項２又は３に記載の磁気ディスク媒体。
【請求項５】
請求項２〜４のいずれか一項に記載の磁気ディスク媒体と、
前記磁気ディスク媒体に対するデータの記録及び前記磁気ディスク媒体からのデータの再生の少なくとも一方を実行するヘッドと、
前記データを管理し、前記ヘッドを介した前記磁気ディスク媒体との間のデータのやり取りを制御する制御部と、を備える磁気ディスク装置。
【請求項６】
前記データセグメントの大きさは、前記制御部のデータ管理容量に基づいて決定されることを特徴とする請求項５に記載の磁気ディスク装置。
【請求項７】
前記制御部は、前記サーボ情報を再生するためのサーボクロックと、前記磁気ディスク媒体にデータを記録するためのライトクロックとを、前記リシンク領域に含まれる基準パターンからの信号をリファレンスとして作成するＰＬＬ回路を含み、
前記ＰＬＬ回路は、前記磁気ディスク媒体が回転している間は、常にロックすることを特徴とする請求項５又は６に記載の磁気ディスク装置。
【発明の詳細な説明】
【技術分野】
【０００１】
本件は、磁気ディスク媒体及び磁気ディスク装置に関する。
【背景技術】
【０００２】
近年、磁気ディスク装置の記録密度を向上させる技術の一つとして、パターンドメディア方式の記録媒体が注目されている。この方式は、記録媒体の表面に、予め記録可能な磁性体（ビットパターン）を整列させておき、面記録密度の向上を図る技術である。
【０００３】
この方式では、１つの磁性体（ビットパターン）が１ｂｉｔに相当し、ドットの磁化方向により０、１の値が決まる。したがって、ビットパターンとビットパターンの間にはデータを記録することができないため、磁気ヘッド（記録素子）をビットパターン上に正確に位置決めしたうえで記録処理を行う必要がある。すなわち、磁気ヘッド（記録素子）を記録媒体の半径方向に位置決めするのは勿論、ビットパターンに同期したライトクロックを生成し、そのライトクロックを用いて記録処理を行う必要がある。これに対応するための技術として、特許文献１、２の技術が提案されている。特許文献１は、ライトプリアンブル方式に関する技術であり、特許文献２はリシンク方式に関する技術である。
【０００４】
例えば、上記リシンク方式の記録媒体では、周方向に等分割された数百程度のセクタそれぞれがサーボ部とデータ部とを有しており、データ部は、ライトプリアンブルと、複数のビットパターンを有する記録ドット部及びリシンク部を含む複数のデータセグメント部と、を有する。このうち、ライトプリアンブルは、ライトクロックがビットパターンの配列と同一周波数で適切な位相となるようにＰＬＬ回路をロックするために用いられる。また、リシンク部は、１セクタ内で周波数及び位相を適切に維持するための、ＰＬＬ回路の再ロックに用いられる。
【先行技術文献】
【特許文献】
【０００５】
【特許文献１】特開２００２−３６８１２４号公報
【特許文献２】特開２００３−１５７５０７号公報
【発明の概要】
【発明が解決しようとする課題】
【０００６】
通常、磁気ディスク装置では、データは一定のデータ管理容量単位（例えば、５１２Ｂ（バイト））で管理されている。すなわち、データ部（記録ドット部）それぞれは、データ管理容量分のデータとＥＣＣ（Error Correction Code）などの付加情報を記録可能な容量を有することが好ましい。これは、セクタ内の最後の記録ドット部に１つのデータのすべてを記録できないと、記録できなかったデータに付加情報を付加し直して次のセクタの先頭に記録する必要があり、データ効率の低下や回路の複雑化を招くからである。
【０００７】
そこで本件は上記の課題に鑑みてなされたものであり、データ効率の向上及びデータの記録再生の簡素化を図ることが可能な磁気ディスク媒体及び磁気ディスク装置を提供することを目的とする。
【課題を解決するための手段】
【０００８】
本明細書に記載の磁気ディスク媒体は、磁気ディスク基板と、前記磁気ディスク基板の、半径方向に分割された複数のゾーンそれぞれに設けられ、情報記録単位が非磁性体によって分離された磁性体を有するデータ領域と、前記磁性体に対するヘッドを用いたデータ記録タイミングを合わせるための基準パターンを含むリシンク領域と、を含む複数のデータセグメントと、を備え、前記各ゾーンのデータセグメント数は、それぞれ整数かつ共通の約数Ｍを有するものである。
【０００９】
本明細書に記載の磁気ディスク装置は、磁気ディスク基板の半径方向に端部が揃うデータセグメントが有するデータ領域に、前記ヘッドを位置決めするためのサーボ情報が等角速度記録された本明細書に記載の磁気ディスク媒体と、前記磁気ディスク媒体に対するデータの記録及び前記磁気ディスク媒体からのデータの再生の少なくとも一方を実行するヘッドと、前記データを管理し、前記ヘッドを介した前記磁気ディスク媒体との間のデータのやり取りを制御する制御部と、を備える磁気ディスク装置である。
【発明の効果】
【００１０】
本明細書に記載の磁気ディスク媒体及び磁気ディスク装置は、データ効率の向上及びデータの記録再生の簡素化を図ることができるという効果を奏する。
【図面の簡単な説明】
【００１１】
【図１】一実施形態に係る磁気ディスク装置の構成を概略的に示す図である。
【図２】磁気ディスクの構成を示す図である。
【図３】磁気ディスクの等分割されたデータセグメントを示す図である。
【図４】各ゾーンのデータセグメント数、セクタ数、１セクタあたりのデータセグメント数を示す表である。
【図５】データセグメントをデータ部形成領域と、サーボ部形成領域に区分した状態を示す図である。
【図６】図５の境界線Ｂ１〜Ｂ２近傍を拡大して示す図である。
【図７】サーボ部及びリシンク部を拡大して示す図である。
【図８】リシンク部及び記録ドット領域を拡大して示す図である。
【図９】クロック生成ＰＬＬ回路を示す図である。
【図１０】ライトクロックを示す図である。
【図１１】図１１（ａ）は、従来検討されていたサーボ部及びデータ部の構造を示す図であり、図１１（ｂ）は、サーボ部の構造を詳細に示す図であり、図１１（ｃ）は、データ部の構造を詳細に示す図である。
【図１２】図１１（ａ）のサーボ部及びデータ部を有する磁気ディスクに対応するクロック生成ＰＬＬ回路を示す図である。
【発明を実施するための形態】
【００１２】
以下、磁気ディスク媒体及び磁気ディスク装置の一実施形態について、図１〜図１２に基づいて詳細に説明する。
【００１３】
図１は、一実施形態に係る磁気ディスク装置としてのハードディスクドライブ（ＨＤＤ）１００の内部構成を示している。この図１に示すように、ＨＤＤ１００は、箱型の筺体１２と、筺体１２内部の空間（収容空間）に収容された磁気ディスク媒体としての磁気ディスク１０、スピンドルモータ１４、ヘッド・スタック・アッセンブリ（ＨＳＡ）４０等と、制御部としての信号処理基板２０と、を備える。なお、筺体１２は、実際には、ベースと上蓋（トップ・カバー）とにより構成されているが、図１では、図示の便宜上、ベースのみを図示している。
【００１４】
磁気ディスク１０は、表面が記録面となっており、スピンドルモータ１４によって、その回転軸回りに例えば４２００〜１５０００ｒｐｍなどの高速度で回転駆動される。なお、磁気ディスク１０は、表面と裏面の両面が記録面であっても良い。また、磁気ディスク１０は、図１の紙面直交方向に複数枚設けられていても良い。
【００１５】
この磁気ディスク１０は、いわゆるパターンドメディア（ビットパターンド媒体）であり、その記録面には、ビット状に分離した単結晶、単磁区の磁性膜を有する。なお、磁気ディスク１０の詳細については後述する。
【００１６】
ＨＳＡ４０は、円筒形状のキャリッジ部３０と、キャリッジ部３０に固定されたフォーク部３２と、フォーク部３２に保持されたコイル３４と、キャリッジ部３０に固定されたキャリッジアーム３６と、キャリッジアーム３６に保持されたヘッドスライダ１６と、を備えている。なお、前述のように、磁気ディスク１０の表面と裏面の両面が記録面である場合には、キャリッジアーム及びヘッドスライダが磁気ディスク１０を挟んで上下対称に一対設けられる。また、磁気ディスクが複数枚設けられている場合には、各磁気ディスクの各記録面に対応して、キャリッジアームとヘッドスライダが設けられる。
【００１７】
キャリッジアーム３６は、例えばステンレス板を打ち抜き加工したり、アルミニウム材料を押し出し加工することにより成型される。ヘッドスライダ１６は、記録素子と再生素子を含む磁気ヘッド３８（図９参照）を有している。なお、記録素子と再生素子とは、実際にはＨＳＡ４０の長手方向に離れて配置されるが、本実施形態では、説明の簡素化のため、記録素子と再生素子とが同一位置にあるものとして説明する。
【００１８】
ＨＳＡ４０は、キャリッジ部３０の中心部分に設けられた軸受部材１８を介して、筺体１２に回転自在（Ｚ軸回りの回転が自在）に連結されている。また、ＨＳＡ４０が有するコイル３４と、筺体１２のベースに固定された永久磁石を含む磁極ユニット２４とにより構成されるボイスコイルモータ５０により、ＨＳＡ４０の軸受部材１８を中心とした円弧状の軌道に沿った揺動が行われる。なお、図１では、揺動の軌道が、一点鎖線にて示されている。
【００１９】
信号処理基板２０は、モータドライバ、リードチャネル、ＨＤＣ（Hard Disk Controller）、及びマイコン等を含んでいる。マイコンは、クロック作成ＰＬＬ回路１１０（図９参照）を含んでいる。
【００２０】
上記のように構成されるＨＤＤ１００では、磁気ディスク１０に対するデータ（情報）の読み書きは、キャリッジアーム３６の先端に設けられた磁気ヘッド３８によって行われる。この場合、磁気ヘッドを保持するヘッドスライダ１６は、磁気ディスク１０の回転によって生じる揚力によって、磁気ディスク１０の表面から浮上し、磁気ヘッド３８は、磁気ディスク１０との間に微小間隔を維持した状態でデータの読み書きを実行する。また、キャリッジアーム３６が上述した揺動を行うことにより、磁気ヘッド３８が磁気ディスク１０のトラック横断方向にシーク移動し、読み書きする対象のトラックを変更する。
【００２１】
図２には、磁気ディスク１０の模式図が示されている。この図２に示すように、磁気ディスク１０は、磁気ディスク基板１０ａを有し、当該磁気ディスク基板１０ａは、半径方向に等間隔とされた複数の領域（ゾーン）Ｚ1〜Ｚn（ここではｎ＝５）に区分けされている。各ゾーンＺ1〜Ｚ5には半径方向の幅が同一の円環状のトラックが複数存在している。
【００２２】
これら各ゾーンＺ1〜Ｚ5には、図２に示すように、サーボ部６０と、データ部７０とが円周方向に交互に設けられている。サーボ部６０とデータ部７０とを含む範囲が１つのセクタ８０を構成しており、各ゾーンＺ1〜Ｚ5のセクタ数は共通となっている。
【００２３】
これについて、更に詳述すると、図３に模式的に示すように、磁気ディスク基板１０ａのゾーンＺ1〜Ｚ5は、複数の領域（セグメントＳＧ）に等分割されている。ここで、各ゾーンにおける分割数（セグメント数）は、例えば、図４に示すように、ゾーンＺ1が８００、ゾーンＺ2が７００、ゾーンＺ3が６００、ゾーンＺ4が５００、ゾーンＺ5が４００とされている。この場合、各セグメント数は、整数で、かつ共通の約数Ｍ（ここでは、Ｍ＝１００）を有している。すなわち、セグメント数Ｓｎは、任意の整数Ｌｎを用いると、次式（１）で表すことができる。
Ｓｎ＝Ｍ×Ｌｎ              …（１）
【００２４】
したがって、本実施形態では、図３に示すように、ゾーンＺ1のセグメントＳＧが８個（＝セグメント数／セクタ＝Ｌｎ）おき、ゾーンＺ2のセグメントＳＧが７個おき、ゾーンＺ3のセグメントＳＧが６個おき、ゾーンＺ4のセグメントＳＧが５個おき、ゾーンＺ5のセグメントＳＧが４個おきに、半径方向に揃うようになる（境界線Ｂ０〜Ｂ３参照）。この境界線は、磁気ディスク１０上に、少なくともＭ本（本実施形態では１００本）存在することになる。なお、境界線は、実際には図２に示すように円弧状となるが、図３では図示の便宜上、直線状に記載している。
【００２５】
また、本実施形態では、境界線Ｂ０、Ｂ１、Ｂ２、…それぞれに一側から接するセグメントの全てを包含する領域、すなわち、図５においてハッチングを付した領域が、サーボ部形成領域とされ、それ以外の領域が、データ部形成領域とされている。
【００２６】
サーボ部形成領域に含まれるセグメントには、図５の境界線Ｂ１〜Ｂ２付近を拡大した図６に示すように、サーボ部６０が設けられている。このサーボ部６０は、ＣＡＶ（等角速度）にて記録されている。したがって、サーボ部６０は、外周側のゾーンほど幅が広く、内周側のゾーンほど幅が狭くなっている。また、サーボ部６０と境界線Ｂ1とに挟まれた位置には、リシンク部（リシンク領域）９０ａが設けられている。更に、サーボ部形成領域のうち、リシンク部９０ａとサーボ部６０とが設けられない領域（図６においてゾーンＺ2〜Ｚ5に存在する領域）には、管理情報記録部（管理情報記録領域）６４が設けられている。この管理情報記録部６４には、磁気ディスク１０の媒体ＩＤや製造ロット番号、ポストコードと呼ばれるサーボの補助データ、媒体の欠陥情報や媒体欠陥に伴う交代セクタ情報など、ＨＤＤ１００の動作に必要ではあるが、ユーザ向けでない管理情報（非ユーザ管理情報）が記録される。
【００２７】
図７には、リシンク部９０ａ及びサーボ部６０の具体的な構造が示されている。この図７に示すように、リシンク部９０ａは、基準パターン９２を有している。この基準パターン９２と、前のセクタのデータ部との間には、所定間隔（ユニークディスタンス）が設けられている。
【００２８】
サーボ部６０は、サーボマークやセクタナンバー、トラックナンバー、サーボバースト等を含んでいる。なお、少なくともサーボ部６０、リシンク部９０ａは、それぞれ磁性体（磁性膜）と非磁性体との組み合わせにより構成され、サーボ部形成領域への各部の形成は、ナノインプリント技術によって実行される。
【００２９】
データ部形成領域に含まれるセグメントには、図６に示すように、リシンク部９０ｂと、記録ドット領域６６とが設けられる。リシンク部（リシンク領域）９０ｂは、データ部形成領域の構造を示す図８から分かるように、基準パターン９４と、擬似パターン９６とを有している。擬似パターン９６は、リシンク部９０ｂと、前述したリシンク部９０ａとの区別をつけるためのものである。このリシンク部９０ｂに含まれる基準パターン９４と擬似パターン９６は、ナノインプリント技術によって形成される。
【００３０】
記録ドット領域６６は、複数のビットパターンを有する。このビットパターンは、磁性体（磁性膜）から成り、ナノインプリント技術によって形成される。
【００３１】
各記録ドット領域６６に記録できる記録容量、すなわち円周方向に配列されているビットパターンの数は、全ての記録ドット領域６６において共通であるものとする。この記録容量としては、ＨＤＤ１００におけるデータ管理容量に基づいて決定することとする。例えば、記録容量は、多数の磁気ディスク装置で使用されるデータ管理容量（５１２Ｂ）にＥＣＣ（Error Correction Code）などの付加情報を加えた容量、又はその整数倍の容量とすることができる。
【００３２】
次に、信号処理基板２０のマイコンが有するクロック作成ＰＬＬ回路１１０について図９に基づいて説明する。本実施形態のクロック作成ＰＬＬ回路１１０は、図９に示すように、リシンク抽出部１１４と、サーボ前リシンク抽出部１１６と、ライトクロック用のＰＬＬ（１１２Ａ）と、サーボクロック用のＰＬＬ（１１２Ｂ）と、を有する。ライトクロック用のＰＬＬ（１１２Ａ）は、位相比較部１２２と、ループフィルタ１２４と、ＶＣＯ１２６と、分周部１２８とを有する。また、サーボクロック用のＰＬＬ（１１２Ｂ）は、位相比較部１３２と、ループフィルタ１３４と、ＶＣＯ１３６と、分周部１３８とを有する。
【００３３】
位相比較部１２２、１３２は、入力された２つの信号の位相差を電圧に変換して出力する。ループフィルタ１２４、１３４は、位相補償を行うものである。ＶＣＯ１２６，１３６は入力電圧によって出力パルスの周波数を制御するものである。ライトクロック用のＰＬＬ１１２Ａは、リシンク抽出部１１４において抽出された、磁気ディスク１０上のリシンク部９０ａ，９０ｂの基準パターン９２，９４の信号をリファレンスとしてＰＬＬをロックする。また、サーボクロック用のＰＬＬ１１２Ｂも、サーボ前リシンク抽出部１１６にて抽出された、リシンク部９０ａの基準パターン９２の信号をリファレンスとしてＰＬＬをロックする。
【００３４】
この場合、サーボクロックに対してもデータクロックに対しても基準パターン９２又は９４が等間隔で抽出されるため、本実施形態では、ディスクが回転している間は常にＰＬＬをロックさせることができる（常時クロッキング手法）。
【００３５】
なお、上記回路を用いて生成されるライトクロックは、書き込み対象のデータを記録ドット領域（すなわち、ビットパターン）に記録する際の、同期合わせに用いられる。すなわち、上記ＰＬＬ回路を用いて生成されるライトクロックは、図１０に示すように、ビットパターンの配列と同一周波数で、かつ同一位相となっている。
【００３６】
ここで、図１０では、ライトクロックの周波数が、ビットパターンの周波数と一致しているが、このようにしなくても良い。すなわち、ライトクロックとビットパターンの両者間の関係が明確であれば、ライトクロックの周波数をビットパターンの周波数の２倍以上に設定しても良い。
【００３７】
また、磁気ヘッド３８の再生素子と記録素子とは、実際には、ＨＳＡ４０の長手方向に、物理的に離れて存在している。したがって、再生素子の読み出した結果からＰＬＬ回路１１０が作成したライトクロックと、実際に記録素子が必要とするライトクロックとは、位相が異なる可能性が高いが、本実施形態では、説明の簡素化のため、記録素子と再生素子が同一位置にあるものとして説明しているので、この問題は生じない。なお、この点を改善する技術については、例えば特開２００６−１６４３４９号公報に開示されている。
【００３８】
ここで、比較例として、従来から検討されているビットパターンを有する磁気ディスクの構造と、この磁気ディスクに対応するクロック作成ＰＬＬ回路の構成について、図１１、図１２に基づいて説明する。
【００３９】
図１１（ａ）には、従来検討されていたビットパターンを有する磁気ディスクの構造が示されている。この図１１（ａ）に示すように、従来検討されていた磁気ディスクは、１セクタ内にサーボ部１６０とデータ部１７０とを有している。サーボ部１６０は、図１１（ｂ）に詳細に示すように、サーボプリアンブル１８１と、サーボマーク１８２とを含む。サーボプリアンブル１８１は、磁気ヘッド３８の記録素子を用いた記録処理（ライト）から再生素子を用いた再生処理（リード）に切り替えた後に行われるＰＬＬ引き込みに用いられるものである。なお、サーボプリアンブル１８１は、記録処理から再生処理に切り替わるまでの間、読み出すことができないので、広い範囲にわたって形成されている。具体的には、例えば、サーボプリアンブル１８１は、サーボ部１６０全体の５０％近くを占めている。サーボマーク１８２は、本実施形態のサーボマーク（図７のサーボ部６０）と同様の構造を有している。
【００４０】
データ部１７０は、図１１（ｃ）に示すように、先頭部分に設けられたライトプリアンブル１８３と、記録ドット領域１６６とリシンク部１９０の複数繰り返し部分と、を含む。ライトプリアンブル１８３は、実際には、図１１（ｂ）のサーボプリアンブルと同様のパターンを有し、当該パターンを用いたライトクロックのためのＰＬＬ引き込みに用いられる。リシンク部１９０は、ライトプリアンブル１８３で生成したライトクロックを、データ領域の最後まで高精度に維持するように、ＰＬＬを再ロックするために用いられる。
【００４１】
図１２は、図１１の従来から提案されているパターンドメディア方式磁気ディスクに対応するクロック生成ＰＬＬ回路２１０を示す図である。この図１２に示すクロック生成ＰＬＬ回路２１０では、サーボクロックとライトクロックは独立している。すなわち、サーボクロック用ＰＬＬ１１２Ｂ’は、時定数切替部１２０Ｂにおいてフィルタ時定数を小さくした状態で、サーボプリアンブル抽出部１１６’で抽出されたサーボプリアンブルのＰＬＬ引き込みを行い、フィルタ時定数を大きくした状態では、ＶＣＯ発信周波数を維持する。一方、ライトクロック用ＰＬＬ１１２Ａ’では、ライトプリアンブル抽出部１１８で抽出されるライトプリアンブルとリシンク抽出部１１４で抽出されるリシンク部の両方で位相比較を行い、時定数切替部１２０Ａが、プリアンブル部用、リシンク部用、それ以外の３種類の時定数切り替えを実行する。
【００４２】
このように、図１２のクロック生成ＰＬＬ回路では、時定数切替部１２０Ａ，１２０Ｂで、フィルタ時定数を切り替える必要があったが、本実施形態（図９）のクロック生成ＰＬＬ回路１１０では、フィルタ時定数の切り替えを不要とし、回路の簡素化を図ることが可能である。また、図１１（ａ）〜図１１（ｃ）の磁気ディスクでは、サーボプリアンブルやライトプリアンブルを配置するための広い領域を確保する必要があったが、本実施形態では、常時クロッキング手法を採用するため、サーボプリアンブル部やライトプリアンブル部を設ける必要が無く、データ効率を高めることが可能である。
【００４３】
以上、詳細に説明したように、本実施形態によると、磁気ディスク１０において半径方向に分割された複数のゾーンＺ1〜Ｚ5それぞれに、データ領域（記録ドット領域６６又はサーボ部６０）と、ビットパターンに対する磁気ヘッドを用いたデータ記録タイミングを合わせるための基準パターン９２又は９４を含むリシンク部９０ａ又は９０ｂと、を含む複数のセグメントを設け、各ゾーンＺ1〜Ｚ5のセグメント数を、それぞれ整数かつ共通の約数Ｍを有する値に設定するので、各ゾーンのセグメント数がそれぞれ整数であることにより、ゾーン内の各セグメントを同一容量とすることができる。これにより、１つのデータ（データ管理容量（５１２Ｂ）を基準に定められるデータ）を記録している間に、次のセクタのサーボ領域が磁気ヘッド３８の直下に来るということがなくなり、１つのデータを記録している最中に、その記録を中断し、次のセクタに残りのデータを記録するいう面倒な処理（データ管理）が不要となる。また、付加情報の再書き込みによる効率低下を解消することが可能である。更に、各ゾーンのセグメント数が、共通の約数Ｍを有することから、各ゾーンのセグメントが半径方向に揃う箇所が、少なくともＭ箇所存在するようになる。したがって、当該Ｍ箇所にサーボ部を配置しておくことにより、サーボ部が一定時間ごとに磁気ヘッド３８の直下に来るようにすることができる。これにより、サーボプリアンブル部やライトプリアンブル部を磁気ディスク１０に設ける必要がなくなるため、データ効率を向上することが可能である。
【００４４】
また、本実施形態では、境界線Ｂ０、Ｂ１、…に接するセグメントに、サーボ部６０を等角速度記録し、当該セグメントのうちサーボ部６０が記録されない部分を、非ユーザ管理情報を記録するための管理情報記録部６４としているので、等分割したセグメントに使用されない領域を残すことなく、有効活用することができる。
【００４５】
また、本実施形態では、サーボ部に隣接するリシンク部９０ａの構造と、それ以外のリシンク領域９０ｂの構造とを異ならせているので、サーボプリアンブル等を設けなくとも、サーボ部６０の位置を把握することが可能である。
【００４６】
なお、上記実施形態では、図４の表に示すようなセグメント数を採用したが、これに限らず、上式（１）を満たすのであれば、種々のセグメント数を採用することができる。また、上記実施形態では、磁気ディスク上の全セグメントが同一の容量を有する場合について説明したが、これに限らず、異なっていても良い。例えば、全セグメントが、データ管理容量に基づいて定まる容量（例えば、データ管理容量に付加情報を加えた容量）を少なくとも有していれば、上記実施形態と同様の効果を得ることできる。
【００４７】
上述した実施形態は本発明の好適な実施の例である。但し、これに限定されるものではなく、本発明の要旨を逸脱しない範囲内において種々変形実施可能である。
【符号の説明】
【００４８】
１０ａ  磁気ディスク基板
１０  磁気ディスク（磁気ディスク媒体）
２０  信号処理基板（制御部）
３８  磁気ヘッド（ヘッド）
６０  サーボ部（データ領域）
６４  管理情報記録部（管理情報記録領域）
６６  記録ドット領域（データ領域）
９０ａ  リシンク部（リシンク領域）
９０ｂ  リシンク部（リシンク領域）
９２  基準パターン
９４  基準パターン
１００  ＨＤＤ（磁気ディスク装置）
１１０  クロック生成ＰＬＬ回路（ＰＬＬ回路）
Ｚ1〜Ｚ5  ゾーン
【図１】
2010205341.tif 000003
【図２】
2010205341.tif 000004
【図３】
2010205341.tif 000005
【図４】
2010205341.tif 000006
【図５】
2010205341.tif 000007
【図６】
2010205341.tif 000008
【図７】
2010205341.tif 000009
【図８】
2010205341.tif 000010
【図９】
2010205341.tif 000011
【図１０】
2010205341.tif 000012
【図１１】
2010205341.tif 000013
【図１２】
2010205341.tif 000014